(57)【特許請求の範囲】
【請求項１】
熱源を収容する容器と、
前記容器の底部の外面から開口端に亘る領域を覆うカバーと、
前記容器の内部に配置され、かつ、前記容器の内部で前記熱源が収容される空間と前記容器の外部とを隔てる蓋部と、
前記蓋部に設けられ、かつ、前記容器の内部と外部とをつなぐ通気孔と、
を有し、
前記蓋部の外周には、前記カバーが前記容器の開口端で折り返されて前記容器の内部へ配置された折り返し部を、前記容器の内面と協働して挟む位置決め部が設けられている、温熱器。
【請求項２】
請求項１記載の温熱器において、
前記容器の平面視で、前記開口端の平面形状は円形であり、
前記容器の平面視で、前記容器の内部に配置された前記蓋部の外周形状は円形である、温熱器。
【請求項３】
請求項２記載の温熱器において、
前記通気孔は、前記容器の内部に配置された前記蓋部の中心を中心とする同一円周上に複数設けられている、温熱器。
【発明の詳細な説明】
【技術分野】
【０００１】
本開示は、容器内に収容した熱源の熱によって生体を加熱する温熱器に関する。
【背景技術】
【０００２】
容器内に収容した熱源の熱によって生体を加熱する温熱器の一例が、特許文献１に記載されている。特許文献１に記載された温熱器は、一方側に位置する先端部が球面状に形成されるとともに、先端部から他方側に円錐形状に形成された第１壁部と、第１壁部に接続されてすぼむように設けられた第２壁部と、第２壁部に接続された筒形状の支持部と、を有する。特許文献１に記載された温熱器は、容器内に収容した熱源が燃焼して発熱した熱により生体等の患部を加熱するとともに、容器の先端部を患部に接触させて加圧することにより、指圧、マッサージをすることができる。
【先行技術文献】
【特許文献】
【０００３】
【特許文献１】特許第５３５２７６２号公報
【発明の概要】
【発明が解決しようとする課題】
【０００４】
本願発明者は、特許文献１に記載されている温熱器は、容器の先端部を生体に接触させるため衛生上好ましくない、という課題を認識した。
【０００５】
本開示の目的は、衛生面で安心して利用することの可能な温熱器を提供することにある。
【課題を解決するための手段】
【０００６】
本開示の温熱器は、熱源を収容する容器と、前記容器の底部の外面から開口端に亘る領域を覆うカバーと、前記容器の内部に配置され、かつ、前記容器の内部で前記熱源が収容される空間と前記容器の外部とを隔てる蓋部と、前記蓋部に設けられ、かつ、前記容器の内部と外部とをつなぐ通気孔と、を有し、前記蓋部の外周には、前記カバーが前記容器の開口端で折り返されて前記容器の内部へ配置された折り返し部を、前記容器の内面と協働して挟む位置決め部が設けられている。
【発明の効果】
【０００７】
本開示によれば、生体に接触されるカバーが容器に対して位置決めされるため、容器が生体に接触することを抑制できる。したがって、温熱器を衛生面で安心して利用することができる。
【図面の簡単な説明】
【０００８】
【図１】本開示の温熱器の分解斜視図である。
【図２】（Ａ）は、温熱器の平面図、（Ｂ）は、図２（Ａ）のII−II線における温熱器の縦断面図である。
【図３】対象者の身体に温熱器を押し当てている状態の一例を示す概念図である。
【発明を実施するための形態】
【０００９】
以下、図面に基づいて、本開示の実施形態を説明する。以下の実施形態の構成は例示であり、本開示は実施形態の内容に限定されない。図１、図２（Ａ），（Ｂ）に示す温熱器１０は、温熱カップ１１、蓋部１２及びカバー１３を有する。温熱カップ１１は、耐熱性に優れたセラミック製である。温熱カップ１１を図２（Ａ）のように平面視すると、温熱カップ１１の外周形状は、中心線Ａ１を中心とする円形である。中心線Ａ１は、温熱カップ１１の中心を通る仮想線である。温熱カップ１１は、図２（Ｂ）のように、底部１４と、底部１４につながる壁部１５とを有する。
【００１０】
温熱カップ１１は、すり鉢形状であり、底部１４から開口端１６に向けて内径が大きくなる向きに、壁部１５が中心線Ａ１に対して傾斜している。温熱カップ１１の外径（直径）は、一例として、１０ｃｍ乃至１５ｃｍの範囲内である。温熱カップ１１の中心線Ａ１に沿った方向の高さは、一例として、７ｃｍ乃至１０ｃｍの範囲内である。
【００１１】
蓋部１２は、例えば木材製であり、蓋部１２は、温熱カップ１１の内部に配置されることにより、熱源２０が収容される空間１９と、温熱カップ１１の外部２９とを隔てる部品である。温熱カップ１１の平面視、つまり、中心線Ａ１に対して垂直な平面視である図２（Ａ）において、蓋部１２の外周縁の形状は、中心線Ａ１を中心とする円形である。蓋部１２の全周に亘って設けられた外周部２６の外径は、中心線Ａ１に沿った方向で滑らかに変化している。このため、図２（Ｂ）のように、中心線Ａ１を含む側面断面内で、外端ぶ２６は、中心線Ａ１に対して傾斜しており、テーパ状に構成されている。外周部２６の最小外径（直径）は、温熱カップ１１の最大内径、つまり、開口端１６の内径より小さい。開口端１６は、中心線Ａ１を中心とする円形の縁部である。中心線Ａ１は、蓋部１２の中心を通る仮想線である。図２（Ａ），（Ｂ）には、蓋部１２が温熱カップ１１の内部に入れられ、温熱カップ１１の中心線Ａ１と、蓋部１２の中心線Ａ１とが共通になった例が示されている。
【００１２】
蓋部１２を厚さ方向に貫通する通気孔１７が設けられている。蓋部１２の厚さ方向は、中心線Ａ１に沿った方向である。通気孔１７は、中心線Ａ１を中心とする同一円周上に複数設けられている。図２（Ａ）には、４つの通気孔１７が、同一円周上に等間隔で配置された例が示されている。蓋部１２を平面視すると、４つの通気孔１７の平面形状は、全て円形であり、かつ、４つの通気孔１７の内径は、全て同一である。
【００１３】
カバー１３は、生地（布地）によって構成されている。生地としては、ブロード生地、シーチング生地、オックス生地、キルティング生地、タフタ生地、フェルト生地等を用いることができる。また、生地として耐熱性を有するもの、例えば、カーボン系複合繊維、シリカ繊維（高耐熱のガラス繊維）、耐炎繊維（アクリル繊維）を用いることも可能である。さらに、カバー１３の外周端が全周に亘って内側に折り返され、かつ、縫合されている。折り返された部分に環状のゴム紐１８が通されており、ゴム紐１８の収縮力でカバー１３の外縁が狭められるように構成されている。
【００１４】
温熱カップ１１の内部に形成される空間１９には、熱源２０、例えば、固形燃料が入れられる。固形燃料としては、ペレット形状の石炭、木炭、成形木炭、練炭を用いることができる。
【００１５】
本実施形態の温熱器１０の使用例を説明する。ここでは、図３のように、施術者２１が温熱器１０を使用して、施術台２２に横臥している対象者（人間）２３の身体に、温熱療法を施す例を説明する。図３は、対象者２３が施術台２２にうつ伏せで横臥した状態を示している。
【００１６】
施術者２１は、温熱カップ１１の底部１４の外面、及び壁部１５の外面をカバー１３で覆い、温熱カップ１１の内部に熱源２０を複数、例えば、４個乃至６個入れ、かつ、熱源２０に点火する。次に、カバー１３の外周端を開口端１６よりも上に位置させる。さらに、カバー１３の外縁を開口端１６の内側へ移動させて折り返し（引っ掛け）、折り返し部２４を形成する。また、折り返し部２４を温熱カップ１１の内部へ位置させる。これにより、カバー１３は、温熱カップ１１の底部１４の外面から開口端１６に亘る領域を覆う。そして、蓋部１２を温熱カップ１１の内部に入れて、空間１９と外部２９とを隔てる。
【００１７】
すると、図２（Ｂ）のように、蓋部１２の外端部２６と、温熱カップ１１の内面２５とが協働して折り返し部２４を挟み、かつ、蓋部１２が停止する。つまり、蓋部１２は、温熱カップ１１に対して中心線Ａ１に沿った方向に位置決めされる。蓋部１２は、中心線Ａ１に沿った方向の一部が外部２９に位置し、中心線Ａ１に沿った方向の一部が温熱カップ１１の内部に位置する。蓋部１２は、空間１９と外部２９とを隔てている。
【００１８】
その後、施術者２１は、図２（Ａ）のように手２７で温熱器１０を上から掴み、温熱カップ１１を対象者２３の身体に接近させる。そして、図２（Ｂ）のように、カバー１３のうち、底部１４を覆っている部位を対象者２３の身体２８の表面に押し付ける。そして、温熱器１０を身体２８に沿って移動させる。施術者２１が、身体２８の表面に沿って温熱器１０を移動させることで、身体２８の表面を温める温熱効果を得られる。特に、身体２８の中心部分となる背骨、臍下丹田や仙骨に沿って温熱器１０を加圧しながら移動させることで、骨格のゆがみを矯正することができる。
【００１９】
また、施術者２１は、図３のように、両方の手２７で温熱器１０をそれぞれ掴み、２個の温熱器１０を使用して施術を行うこともできる。熱源２０の熱が温熱カップ１１を経由して対象者の身体２８に伝達される。熱源２０の温度は、一例として７００℃程度であり、その熱源２０の熱で、セラミック製の温熱カップ１１の温度が上昇し、遠赤外線効果により身体２８を温めることができる。温熱カップ１１から発せられる電磁波は、３μｍ乃至1,000 μｍの波長領域内にある。対象者２３は、施術台２２上で仰向けになってもよい。
【００２０】
本実施形態の温熱器１０は、温熱カップ１１を覆うカバー１３が、対象者２３の身体２８に接触される。具体的には、カバー１３のうち、底部１４の外側に位置する部位が身体２８に押し付けられる。このため、温熱カップ１１が身体２８に接触することはなく、衛生的である。したがって、温熱器１０を衛生面で安心して利用することができる。
【００２１】
また、カバー１３の折り返し部２４は、蓋部１２の外端部２６と温熱カップ１１の内面２５とにより挟まれている。そして、手２７により、蓋部１２が温熱カップ１１の内面２５へ向けて押し付けられている。つまり、カバー１３は、温熱カップ１１に対して位置決め固定されている。
【００２２】
このため、温熱器１０を図２（Ｂ）のように身体２８に沿って移動させた場合に、カバー１３と身体２８との接触部分の摩擦力で、カバー１３の折り返し部２４が、温熱カップ１１の外部２９へ向けて引っ張られたとしても、カバー１３が温熱カップ１１に対して位置ずれすることを防止できる。つまり、カバー１３が温熱カップ１１の外面を覆った状態を維持できる。したがって、温熱カップ１１が身体２８に接触することを確実に防止でき、衛生的である。さらに、対象者２３が代わる毎に、蓋部１２を取り外してカバー１３を交換すれば、同一のカバー１３が異なる対象者２３に対して接触することが無く、一層、衛生的である。
【００２３】
さらに、蓋部１２には通気孔１７が設けられているため、温熱カップ１１の空間１９と外部２９とが、通気孔１７によりつながる。このため、熱源２０の燃焼に必要な量の酸素を空間１９で確保することができ、熱源２０の燃焼を安定させることができる。また、通気孔１７を蓋部１２に複数設けることで、空間１９と外部２９との間における空気の流れが促進され、熱源２０の燃焼時間を増加させることができる。さらに、空間１９における必要酸素量を確保するために、通気孔１７を複数設けている。このため、通気孔１７の１つ１つを、なるべく小さくすることができる。したがって、温熱カップ１１の中心線Ａ１を鉛直線に対して傾けた場合に、空間１９の熱源２０が、通気孔１７を通って外部２９へ出ることを抑制できる。ゴム紐１８がカバー１３に設けられているため、カバー１３の一部が空間１９で垂れることを防止でき、熱源２０とカバー１３の一部との接触を回避できる。
【００２４】
なお、施術者２１は、温熱療法を行うことに併せて、対象者２３に人間関係、家族関係等におけるカウンセリングを行うことも可能であり、対象者２３は、精神的・心理的にリラックスできる。さらに、施術者２１が温熱器１０を使用する例を説明したが、対象者２３が自分の手で温熱器１０を持ち、かつ、自分の足、腕、腹等にカバー１３を押し付けることも可能である。
【００２５】
実施形態で説明した事項の技術的意味の一例は、次の通りである。温熱器１０は、温熱器の一例である。熱源２０は、熱源の一例であり、温熱カップ１１は、容器の一例である。底部１４は、容器の底部の一例である。開口端１６は、容器の開口端の一例である。カバー１３は、カバーの一例である。蓋部１２は、蓋部の一例である。通気孔１７は、通気孔の一例である。外端部２６は、位置決め部の一例である。内面２５は、容器の内面の一例である。中心線Ａ１は、“容器の内部に配置された蓋部の中心”の一例である。
【００２６】
本実施形態で説明した温熱器は、図面を用いて説明したものに限定されない。例えば、中心線Ａ１に対して垂直な平面内で、温熱カップの外周形状、内周形状は、円形に限定されず、四角形、五角形、六角形、八角形、楕円形等でもよい。この場合、中心線Ａ１に対して垂直な平面内で、温熱カップの内周形状と、蓋部の外周形状とは、同一であってもよいし、異なっていてもよい。温熱カップが、開口端から底部に近づくことに伴い開口面積が狭くなっていれば、蓋部の外周端が温熱カップの内面に接触し、蓋部は、容器に対して中心線に沿った方向で位置決めされる。さらに、蓋部の外端部の直径は、中心線に沿った方向で一定でもよい。
【００２７】
また、蓋部の通気孔の数は、３個以下でもよいし、５個以上でもよい。すなわち、通気孔の数、中心線Ａ１に対して垂直な平面視で、蓋部に対して通気孔を設ける位置は、任意である。さらに、蓋部の中心線Ａ１に対して垂直な平面視で、通気孔は、中心線Ａ１を中心とする１個の円形でもよい。さらに、通気孔の平面形状は円形、楕円形、多角形等の何れでもよい。また、蓋部を構成する材料は、木材に代えて耐熱性を有する熱硬化性樹脂、例えば、ポリイミド樹脂を用いることも可能である。
【産業上の利用可能性】
【００２８】
本開示の温熱器は、容器内に収容した熱源の熱によって生体を加熱するために利用可能である。
【符号の説明】
【００２９】
１０…温熱器、１１…温熱カップ、１２…蓋部、１３…カバー、１４…底部、１６…開口端、１７…通気孔、２０…熱源、２５…内面、２６…外端部、Ａ１…中心線
【要約】
【課題】衛生面で安心して利用することの可能な温熱器を提供する。
【解決手段】熱源２０を収容する温熱カップ１１と、温熱カップ１１の底部１４の外面から開口端１６に亘る領域を覆うカバー１３と、温熱カップ１１の内部に配置され、かつ、温熱カップ１１の内部で熱源２０が収容される空間１９と温熱カップ１１の外部２９とを隔てる蓋部１２と、蓋部１２に設けられ、かつ、空間１９と外部２９とをつなぐ通気孔１７と、を有し、蓋部１２の外周には、カバー１３が開口端１６で折り返された折り返し部２４を、温熱カップ１１の内面２５と協働して外端部２６が設けられている温熱器１０を構成した。
【選択図】図２【図１】
0006971513.tif 000002
【図２】
0006971513.tif 000003
【図３】
0006971513.tif 000004